(57)【要約】      （修正有）【課題】植物の美しさを引き立てつつ、しかもそれに見劣りしない風格と美と癒し効果を有する観葉植物の装飾品を提供する。【解決手段】植物を固化培土中に植栽すると同時に発音装置１３或いは、及び発光装置を組み込み、固化培土を所望の形に形成し、その後、紐、縄、綱等を用いて固化培土１４を巻き付け、装飾する。植木鉢が不要で、観葉植物１１の生育を楽しむと共に癒し効果のある手毬風装飾品１０を提供することができる。この場合、発音装置として振動検知センサによって起動する電子発音装置を用いることもできる。【選択図】図１
2015144668.tif 000002
【特許請求の範囲】
【請求項１】
植物が植栽された固化培土及び発音装置及び／あるいは発光装置を芯として、紐状素材を巻きつけたことを特徴とする手毬風装飾品。
【請求項２】
前記発音装置として鈴及び／あるいはオルゴールボールを用いることを特徴とする請求項１に記載の手毬風装飾品。
【請求項３】
前記発音装置として振動検知センサによって起動する電子発音装置を用いることを特徴とする請求項１に記載の手毬風装飾品。
【請求項４】
前記発光装置の発光部として振動検知センサによって発光ダイオードを発光させる発光装置を用いることを特徴とする請求項１に記載の手毬風装飾品。
【請求項５】
前記振動検知センサの代わりに、もしくは前記振動検知センサとともに、水分検知センサを用いることを特徴とする請求項３もしくは４に記載の手毬風装飾品。
【請求項６】
前記固化培土中に香り発生物質を混入することを特徴とする請求項１乃至４のうち１項に記載の手毬風装飾品。
【発明の詳細な説明】
【技術分野】
【０００１】
本発明は、植木鉢を用いないで観葉植物を植栽する新規な装飾品に関する。更に詳しくは、自由自在に形作られた固形培養土に観葉植物を植栽したものを芯とし、その芯の中に鈴のような発音装置や発光装置を封入し、該芯の上を様々な糸、紐、或いは、縄等の細い素材で巻いた手毬風の装飾品に関する。
【背景技術】
【０００２】
植木鉢の起源は明らかではないが、屋外に放置した土器に土が溜り、そこに何らかの方法で種子が入り込んで育ったのをヒントに使用され始めたという説があり、古代文明において、既に存在したものであると言われている。それ以後、庭園という場所を必要としないため、造園技術を不要とした単独の文化として君臨している。
【０００３】
中国では盆栽の祖型である盆養が遅くとも唐代には行なわれ、宋代には確実に植木鉢による栽培が行なわれていた。  それが、日本の平安時代末期にあたり、貿易商の手によって持ち込まれたと言われている。その後日本では、能楽「鉢の木」から分かるように、鎌倉時代において、鉢植え（盆養）が趣味園芸として一般庶民に広まっていたことが伺える。
【０００４】
更に江戸時代は、園芸が興隆した時代で、中でも鉢植えが愛好され、盆栽でみられる梅、桜、松ばかりではなく、朝顔のような一般的な植物も鉢植えされるようになった。入谷朝顔市は明治時代初期に始まったものであるが、今戸焼の植木鉢が使われていた。このような観葉植物を植える植木鉢は、庶民が使う場合や、繁殖や初期育成等に使う場合は、日用品的な素焼鉢や陶器鉢が用いられていたが、盆栽では、樹木の美しさを引き立てつつ、それに見劣りしない風格と美を有する高級品が用いられるようになった。特に盆栽は、日本独特の伝統芸術として広く諸外国にも広がり、今やＢＯＮＳＡＩは世界的な共通語となっている。
【０００５】
この盆栽の世界的な広がりにより、観葉植物を比較的小型の植木鉢に植栽してその生育を楽しむことが広がりつつある。このように、観葉植物の植栽用植木鉢は、生きた植物のもつ色彩の美しさや生命感のもつ変化性、柔軟性、適応性等の特徴を引き立てる存在として、観葉植物の植栽に必要不可欠なものである。従って、現在も、植木鉢に求められる上記特性を求めて、例えば、特許文献１〜７に開示されているように、植木鉢の構造、材質、植木鉢カバー等、様々な観点から進化を遂げている。
【０００６】
一方、上述したような芸術的視点とは異なり、工業的視点からは、就農人口の減少、就農人員の高齢化などに伴って、農作業の省力化、機械化が重要な課題として存在する。その１つとして、小さな容器で育てた苗を移植機で根鉢ごと容器からから抜き取って、田畑に自動的に植え付ける方法が広く採用されるようになった。
【０００７】
この分野においては、プラスチック等からなる小さな容器を連結して設けたトレー中で、野菜、草花、果樹、樹木等の種子を所定期間育苗し、それを根鉢ごと小容器から抜き取って移植機で田畑に植え付ける方法から、根鉢の形態を保持できる固化培土に進化してきた。上記プラスチック容器を使う方法では、わずかな衝撃で根鉢の形が崩れてしまい、移植機による苗の植え付けが困難であるという課題を、例えば、特開２００２−０５８３３９号公報等に開示されているように、イオン性吸水性樹脂を培土に混合したもの、培土に寒天ゲル、ベントナイト、澱粉等の結合剤を添加したもの、培土に繊維を添加したもの等、根鉢の形態を保持できる固化培土によって解決しようとするものもある。
【０００８】
近年では、このような固化培土が、特開２００３−３３９２２６号公報や特開２００４−０６５１５０号公報等に開示されているように、適度な保水性を有しながら排水性に優れ植物を健全に生育させることができる上、軽量で、取扱い性及び施工性に優れるため、屋上などに施工した時に建造物に大きな負荷を与えず、しかも強度の高い栽培床等を形成することのできる植物育成基材、或いは、それから得られる栽培床として活用されるようになった。特に、屋上や法面等のような風や雨によって土の飛散や流失が生じやすい場所に施工しても栽培床の崩壊が生じず、植物を健全に生育させることができるため、地球環境保全という観点も加わり、屋上緑化のための栽培床用として広く用いられるようになった。
【０００９】
また、このような固化培土の技術は、特開２００５−００６５８０号公報に開示されているように、糸巻きという煩雑な作業を不要化する苔玉の素材としても利用されるようになった。従来、苔玉は、鉢の中に根を隙間なく張らせ、鉢なしでも崩れないようにする「根洗い」という手法の応用によって根鉢が製作され、その土の外側に糸でコケを巻きつける園芸技術で、従来にない植木鉢が不要な観葉植物の装飾品の地位を築いてきた。しかし、糸巻きが煩雑で、手間や時間のかかる工程が弊害となっていた。そこで、特開２００５−３２３５２０号公報に開示されているように、網籠体を用いて、糸巻きの困難な作業の負荷を低減した苔玉作製方法が提案されているが、糸巻きという作業がないわけではない。
【００１０】
また、特開２００５−００６５８０号公報によれば、熱融着性繊維を含む特殊な固化培土を苔と一緒に加熱成型することによって、糸巻きの不要な苔玉を作製することができることが開示されている。
【００１１】
観葉植物を植栽し、その生育していく様子を眺めるのは楽しく、気持ちを癒されることではあるが、植物が見ているうちに伸びていくわけではないため、ただ眺める以外にも他の癒しの効果が付加できればさらに良いであろうと想像される。
【先行技術文献】
【特許文献】
【００１２】
【特許文献１】特開２０００−０６９８５３号公報
【特許文献２】特開２００３−０３８０３７号公報
【特許文献３】特開２００３−０９２９２８号公報
【特許文献４】特開２００６−１９７９１６号公報
【特許文献５】特開２００６−２２３２９８号公報
【特許文献６】特開２００８−０５４５２６号公報
【特許文献７】特開２００８−０６１５３３号公報
【特許文献８】特開２００２−０５８３３９号公報
【特許文献９】特開２００３−３３９２２６号号公報
【特許文献１０】特開２００４−０６５１５０号公報
【特許文献１１】特開２００５−００６５８０号公報
【特許文献１２】特開２００５−３２３５２０号公報
【発明の概要】
【発明が解決しようとする課題】
【００１３】
本発明は、植物の美しさを引き立てつつ、しかもそれに見劣りしない風格と美とを有する観葉植物の装飾品を提供すると共に当該装飾品に新しい癒しの効果を付加することを課題としている。
【課題を解決するための手段】
【００１４】
本発明は、上記技術背景に鑑み、固化培土に関する最新技術と、日本の文化・伝統ある手毬の技術とを融合させることによって、古い歴史を有する植木鉢を用いることのない観葉植物の装飾品を見出し、植物を固化培土に植栽すると同時に固化培土を所望の形に形成し、その固化培土中に発音装置及び／あるいは発光装置を組み込んだ後、紐、縄、綱等を用いて固化培土を巻き付け装飾した新しい観葉植物の手毬風装飾品とする。
【発明の効果】
【００１５】
本発明により、植木鉢を用いることなく、植物の美しさを引き立てつつ、しかもそれに見劣りしない風格と美とを有する日本古来の手毬を連想させる装飾品が得られ観葉植物の生育を眺めることによる癒しと共に、手毬状の装飾品に水やりをするときに持ち上げたり振動させることにより涼しげな音がしたり、上記装飾品に組み込まれた発光装置によって光が点滅することにより、より癒し効果を高めることができる。また、この装飾品は、紐として、スパンコールやビーズ等を用いることもできるため、盆栽や苔玉等の純和風式装飾品としてだけでなく、洋風の装飾品としても効果的である。
【図面の簡単な説明】
【００１６】
【図１】電子発音装置を組み込んだ本発明の一実施例の概略図である。
【図２】電子発音装置の一実施例のブロックダイヤグラムである。
【図３】発光装置の一実施例のブロックダイヤグラムである。
【図４】発光装置を組み込んだ本発明の一実施例の概略図である。
【発明を実施するための形態】
【００１７】
本発明の手毬風装飾品は、少なくとも、観葉植物、固化培土、発音装置、発光装置及び、紐状素材を備えて構成される。観葉植物としては、熱帯、亜熱帯産の葉の美しい植物である、アイビー、アジアンタム、アレカヤシ、インドゴム、オリヅルラン、サンセベリア、シェフレラ、スパティフィラム、ドラセナ、ネオレゲリア、パキラ、ベンジャミン、ポトス、モンステラ、レックスベゴニア等、盆栽に用いられる松、桜、楓、梅、柿等の温帯性樹木、ボテン、アロエ、ハマミズナ等に代表される多肉植物、ハボタンやコリウスなどの一二年草、斑入りの宿根草、アクアリウムの水草、更に球根植物の水仙、チューリップ、クロッカス、スノードロップその他等、またオモト、イワヒバ、サイシン、マンリョウ、錦葉ゼラニウム等を用いることができ、制限はない。特に、樹木や葉の形状、色彩、斑等の模様を鑑賞することができるものであればより好ましい。
【００１８】
固化培土としては、所望の形状に固め、その形状を維持できるものであれば、制限されるものではないが、エクセルソイルに代表される合成繊維を混入した培土、パルコートグリーンに代表される無機系凝集剤を混合した培土、アルギン酸ナトリウムやポリアクリル酸共重合体等の有機系凝集剤を混合した培土等を好ましく用いることができる。特に、加熱成型によってあらゆる形状を簡単に作製できるエクセルソイルはより好ましい。紐状素材は、その基本単位となる繊維が、天然繊維であっても、化学繊維であっても、特に制限されない。
【００１９】
天然繊維としては、植物繊維、動物繊維、鉱物繊維、食物繊維等がある。化学繊維としては、合成繊維、半合成繊維、炭素繊維、ガラス繊維、人造鉱物繊維（ロックウール、グラスウール、セラミックファイバー等）がある。しかし、耐水性や耐久性を考慮すると、化学繊維がより好ましく用いられる。中でも、繊維の多様性という観点も加味すると、ポリエステル繊維、アクリル繊維等が更により好ましい。最も細いものでは、絹や合成繊維等のように連続した長さを有する長繊維一本からなる単繊維（モノフィラメント）、例えば、漁網や釣り糸、を用いることができる。また、単繊維より太いものとしては、このような単繊維を何十本も撚り合わせて作られる糸（マルチフィラメント）や木綿、羊毛、合成繊維を裁断した短繊維を紡績して得られた糸も用いることができる。この場合は、固化培土の素材をそのまま生かす場合に好ましく用いることができる。
【００２０】
次いで太いものとしては、上記各種糸を撚り合わせた紐が好ましく用いられる。紐とは、物をしばったり束ねたりするのに用いる細長いもので、ふつう、糸より太く、縄より細いものを定義される。この場合の材質は、糸を撚り合わせたものに限定されず、麻・布・紙・革等も用いることができる。特に、日本の伝統的な紐である、細い絹糸や綿糸を編んで織り上げた組み紐（角打ち紐、平打紐、丸打紐）、縦糸及び横糸を使い機で織った平たく狭い織物の紐である真田紐等は好ましく用いられるが、耐水性を考慮すると、繊維は合成繊維であることが好ましい。また、作業性、耐久性等から、紐を切断した際にほどけないようにされているものが好ましい。
【００２１】
次に太いものは、縄で、上記紐を撚り合わせて作った、物を縛ったりつないだりするのに用いる細長い紐と定義される。麻・わら等をより合わせて作られたものも用いることができる。紐と同様、切断した際にほどけないようにされているものが好ましい。
【００２２】
綱とは、更に、紐や縄を撚り合わせて長く作ったもので、針金をより合わせて長くつくったものも用いられる。紐や縄と同様、切断した際にほどけないようにされているものが好ましい。
【００２３】
紐・縄・綱等に限らず、鎖、リボン、スパンコール、ビーズ、蔓等を用いることができる。鎖とは、金属製の輪を数多くつなぎ合わせて、ひもや綱のようにしたもので、長鎖環（ロングリンクチェーン）、短鎖環（ショートリンクチェーン）、装飾品でよく用いられる捻り鎖、装身具や風呂の栓等に使われる玉鎖（ボールチェーン）、ビクター鎖、マンテル鎖、ネックレス等の装身具に用いられる喜平（きへい）、財布やベルトにつけるウォレットチェーンやグルメット等様々なものがある。これらはすべて本発明に用いることができる。
【００２４】
リボンとは、頭髪や服飾、贈答品の箱や袋のラッピングなどに使われる長く平べったい紐状のものである。スパンコールとは、光を反射させるために使用する服飾資材で、穴の空いた金属やプラスチックの小片のことをいう。直径６ミリ程度の中央に穴の空いた円形のものが多く、そのままあるいは糸を通してリボン状にしたものが好ましく用いられる。
【００２５】
ビーズは、装飾や手芸などに用いる穴の開いた小さな玉を糸や紐を通して数珠状にしたもので、形状は球形や円筒形の物が多いが、花形や星形などさまざまな形状の物がある。素材はガラスやプラスチックから、石、天然石、貝殻、真珠、動物の角、骨など多岐に亘って使用することができる。
【００２６】
また、天然の素材としては、つるをそのまま、または、乾燥させたつるを用いることもでき、天然の竹を細く裂いた竹ひごを用いることもできる。紐状素材に特別な制限はないが、意匠性、植物の成長を考慮すると、水を欠かすことができないため、ポリエステル樹脂、アクリル樹脂等の化学繊維が長期的には適している。更に、紐状素材に加え、宝石や貴金属のビーズやアクセサリ、日本古来の苧環等を紐状素材に取り付けることもできる。これらは、使用される紐状素材によって異なるが、繊維を用いた紐の場合、苧環が特に好ましい。
【００２７】
固化培土中に組み込む発音装置としては、簡単なものとしては通常の鈴やオルゴールボールがある。この場合は、本手毬風装飾品が持ち上げられたり振動したりすると涼しげな鈴の音や水琴窟のような音がして観葉植物の生育を眺めると共に、音による癒し効果が生まれる。特に、内部に金属櫛歯があるオルゴールボールは外部の固形培土を通して音が響きやすく、その水琴窟を髣髴させる涼しい音色は大変癒し効果が大きい。
【００２８】
本発明の手まり風装飾品の観葉植物の生育を眺めたり、手に取った時の上記鈴の音色、また周囲の紐の手触りは、視覚や聴覚、触覚に大変癒し効果があるが、更に癒し効果を高めるために固化培土中にアロマオイルや粉末お香等の香り発生物質を混合しておけば、上記視覚や聴覚、触覚に加えて嗅覚に対する癒し効果を付加することができる。
【００２９】
図１は、発音装置を組み込んだ本発明の一実施例に係る手毬風装飾品１０の概略図である。まず、固化培土の中に鈴１２或いは後述する発音装置１３を封入して成型すると共に観葉植物１１を植栽して、紐状素材を巻く固化培土芯１４を作製する。次いで、固化培土芯１４を紐状素材１５で巻く。紐状素材１５を巻く過程で、アクセサリ１６を固形培土表面に設置したり、紐状素材１５を結んだり、ピン等の金具を用いたり、或いは、紐に絡ませたりして装飾品となるように固定する。
【００３０】
上記発音装置の別の使用例としては図２のブロックダイヤグラムに示すような電子発音装置１３がある。電子発音装置１３は振動検知センサ２１、発音信号発生部２２、平板状セラミックスピーカのような小型スピーカ２３、電池２４を少なくとも備えて構成されている。電子発音装置１３は、本手毬風装飾品１０が持ち上げられたり振動したりすることを振動検知センサ２１が検知すると発音信号発生部２２から発音信号が一定期間スピーカ２３に送られ、癒しの音や音楽を発生する。
【００３１】
上記の発音装置１３を固化培土に組み込むことにより、固化培土中の水分が不足する場合は鈴や電子発音装置からの音が高く聞こえ、固化培土中の水分が多いときはくぐもった音に聞こえる。このように、発音装置を組み込むことにより癒し効果が増すばかりでなく、固化培土への水やりのタイミングを知ることもできる。また、鈴或いは電子発音装置を固化培土に組み込む場合は、発音が外部に届きやすいよう固化培土の表面近くに設置することが好ましい。
【００３２】
一方、固化培土に組み込む発光装置３０は、図３のごとく振動検知センサ３１、発光駆動信号発生部３２、ＬＥＤのような発光部３３、電池３４を少なくとも備えて構成される。発光装置３０は、本手毬風装飾品１０が持ち上げられたり振動したりすることを振動検知センサ３１が検知すると発光駆動信号発生部３２から発光信号が一定期間固化培土表面に設置された発光部３３に送られ、発光部３３は駆動信号によって定められたパターンで発光する。
【００３３】
図４は、発光装置を組み込んだ本発明の一実施例４０の概略図である。まず、固化培土の中に上記の発光装置３０を封入して成型すると共に観葉植物４１を植栽して、紐状素材４２を巻く固化培土芯４３を作製する。次いで、固化培土芯４３を紐状素材４２で巻く。紐状素材４２を巻く過程で、発光部３３やアクセサリ４４を固形培土表面に設置したり、紐状素材４２を結んだり、ピン等の金具を用いたり、或いは、紐に絡ませたりして装飾品となるように固定する。
【００３４】
上記、発音装置を組み込んだ実施例と発光装置を組み込んだ本発明の実施例について説明したが、両者を同時に組み込んでも良いことは自明である。また、電子発音装置と発光装置のセンサとして振動センサを用いる場合を説明したが、振動センサの代わり、或いは並列に水分検知センサを用いて本発明の手毬風装飾品に水やりをしたときに発音したり発光することにより癒し効果や植栽飼育していることの実感を得ることができる。
【産業上の利用可能性】
【００３５】
本発明の手毬風装飾品は、従来の鉢植された観葉植物や盆栽等と同様に、家庭、ホテル、美容室、飲食店等において観賞されるものであるが、日本古来の手毬という文化との融合を図っているため、お茶室の置物、美術工芸品等として利用でき、更に手に取ったり揺らしたりすることにより音や光を発することによる癒し効果により、癒しを与える装飾品として新しい利用が開けることが期待される。
【符号の説明】
【００３６】
１０…手毬風装飾品、１１…観葉植物、１２…鈴、１３…電子発音装置、１４…固化培土芯、１５…紐状素材、１６…アクセサリ、２０…電子発音装置、２１…振動検知センサ、２２…発音信号発生部、２３…小型スピーカ、２４…電池、３０…発光装置、３１…振動検知センサ、３２…発光駆動信号発生部、３３…発光部、３４…電池、４０…発光装置組み込み本製品、４１…観葉植物、４２…紐状素材、４３…固化培土芯、４４…アクセサリ
【図１】
2015144668.tif 000003
【図２】
2015144668.tif 000004
【図３】
2015144668.tif 000005
【図４】
2015144668.tif 000006